(57)【要約】      （修正有）【課題】内部からの強い背圧を抵抗し、液体の漏れを防ぐことが可能な安全コネクターを提供する。【解決手段】安全コネクター１０は、カバー、カバーと接続するベース及びカバーとベースの間に配置される弾性体４０を備え、弾性体４０は封止部４５を有し、封止部４５はカバーとベースの間の隙間を密封する。弾性体４０がカバーの押圧部を互いに対応する第二ネック部を有することによって、安全コネクター１０は強い液圧または逆流にもっと耐え得るし、よい漏れ防止効果がある。【選択図】図２
0003207099.tif 000002
【実用新案登録請求の範囲】
【請求項１】
カバー、ベースおよび弾性体を備え、
前記カバーは、第一ネック部、第一環状壁部及び第二環状壁部を備え、前記第一ネック部の一端が前記第一環状壁部と接続され、別の一端が前記第二環状壁部と接続され、前記第二環状壁部は端部を有し、前記第一ネック部と前記第一環状壁部と前記第二環状壁部に囲まれて第一トンネルを構成し、前記第一ネック部の内壁面には押圧部が設けられて、前記押圧部の内径は前記第一環状壁部から前記第二環状壁部への方向に増やし、
前記ベースは、連接部と第三環状壁部を備え、前記連接部は片側に貫通孔がある表面を有し、且つ前記貫通孔とを接続したパイプを有する輸液管が含まれ、前記第三環状壁部は前記表面の一方の側から延びて形成され、
前記弾性体は、頭部と第二ネック部と本体および開口部を備え、前記頭部は前記第二ネック部の一方の側から延びさせて閉じた端部に形成され、前記第二ネック部は外壁面を有して前記押圧部を互いに対応し、前記本体は前記第二ネック部の別の一方の側から延びさせて開いた端部を有し、且つ前記開いた端部から外向きに延びるように封止部を形成し、前記開口部は第一周壁に囲まれて形成し、前記第二ネック部は前記本体の中とともに第二トンネルが含まれ、前記第一周壁は前記第二ネック部から前記本体への方向に二つ円弧凹面で構成され、
前記第二環状壁部は前記第三環状壁部の内部に配置し、前記封止部は前記表面と前記第二環状壁部の端部の間に配置し、前記本体は前記第二環状壁部の内部に配置し、前記第二ネック部は前記押圧部に密接に取り付け、前記頭部は前記第一環状壁部の内部に配置して前記第一トンネルを密封し、前記第一トンネルは前記開口部によって前記第二トンネルとを連通し、且つ前記貫通孔によって前記パイプを接続することを特徴とする安全コネクター。
【請求項２】
前記第二環状壁部は収容溝を有し、前記第三環状壁部はフランジを有し、前記フランジは前記収容溝に噛み合わせることを特徴とする請求項１に記載の安全コネクター。
【請求項３】
前記封止部は前記頭部への方向に向けて突出する第一弾性リングをさらに含むことを特徴とする請求項１に記載の安全コネクター。
【請求項４】
前記封止部は前記頭部から離れる方向に突出する第二弾性リングをさらに含むことを特徴とする請求項１または請求項３に記載の安全コネクター。
【請求項５】
前記本体は前記第二環状壁部への方向に向けて突出する第三弾性リングを含むこと特徴とする請求項１に記載の安全コネクター。
【考案の詳細な説明】
【技術分野】
【０００１】
本考案は、医療器材、特に鋭い針を使用しない安全コネクターに関するものである。
【背景技術】
【０００２】
従来の医療処置は常に様々な輸液パイプを利用して、患者に薬剤の投与、採血、点滴静脈注射などの液体の吸引や注入ことをする。輸液コネクターは様々な輸液パイプを接続され、液体の吸引または注入のバルブとしてある。近年、医療従事者のセキュリティの重視が高まり、多くの医療機関は鋭い針を不要の安全コネクタを使用する。
【０００３】
特許文献1により提示された従来の安全コネクターは円錐形のカバー、ベース、弾性逆止弁を含める。円錐形のカバーはベースを覆って、ベースとの間に形成した容置空間に弾性逆止弁を収容する。円錐形のカバーの内壁面には環形突起部を有し、弾性逆止弁の外壁面に突起して弾性リングは、環形突起部の下縁に当接して、円錐形のカバーの内壁面に密着することにより、安全コネクター内の液体の漏れを防止する。液体を注入する時、弾性逆止弁がシリンジに差し込まれて変形することにより、安全コネクター内の空間とシリンジ内の空間とを連通し、薬剤の投与や採血ができる。
【０００４】
上述の従来の輸液コネクターは、円錐形のカバーとベースの間にただ階段状の結合部を介して接続され、超音波溶接で密封する。さらに、弾性逆止弁は弾性リングを環形突起部の下縁に当接することによって、輸液パイプ内の液体の漏れを防止する。しかし、輸液パイプに液體から強い背圧が発生する場合、液體は溶接の隙間から流出しやすくて、そして、背圧で液體を弾性リングに圧迫され、液體の滲出を引き起こす可能性もある。
【０００５】
上述したことにより、従来の安全コネクターはまだ改善が必要である。
【先行技術文献】
【特許文献】
【０００６】
【特許文献１】台湾実用新案TWM513033号公報
【考案の概要】
【考案が解決しようとする課題】
【０００７】
本考案は、内部からの強い背圧を抵抗し、液体の漏れを防ぐことが可能な安全コネクターを提供することを主な目的とする。
【課題を解決するための手段】
【０００８】
上述の目的を達成するために、本考案はカバー、ベース及び弾性体を備える安全コネクターを提供する。カバーは、第一ネック部、第一環状壁部及び端部がある第二環状壁部を有する。第一ネック部の一端が第一環状壁部と接続され、別の一端が第二環状壁部と接続される。第一ネック部と第一環状壁部と第二環状壁部の内壁面に囲まれて第一トンネルを構成する。第一ネック部の内壁面には押圧部が設けられて、押圧部の内径は第一環状壁部から第二環状壁部への方向に増やす。ベースは、片側に貫通孔がある表面を有し且つ貫通孔と接続するパイプを有する輸液管が含まれる連接部と、表面の一方の側から延びてなる第三環状壁部とを備える。弾性体は本体と、外壁面が有って押圧部を互いに対応する第二ネック部と、第二ネック部の一方の側から延びさせて閉じた端部になる頭部と、第二ネック部から本体への方向に二つ円弧凹面で構成する第一周壁に囲まれて形成する開口部とを備える。本体は第二ネック部の別の一方の側から延びさせて開いた端部をなって、さらに開いた端部から外向きに延びるように封止部を形成する。第二ネック部は本体の中とともに第二トンネルが含まれる。第二環状壁部は第三環状壁部の内部に配置し、封止部は表面と第二環状壁の端部の間に配置し、本体は第二環状壁部の内部に配置し、第二ネック部は押圧部に密接に取り付け、第一トンネルは開口部によって第二トンネルとを連通し、且つ貫通孔によってパイプを接続し、頭部は第一環状壁部の内部に配置し、第一トンネルを密封する。
【０００９】
封止部は頭部への方向に向けて突出する第一弾性リングを更に有する安全コネクターを提供する。
【００１０】
封止部は頭部から離れる方向に突出する第二弾性リングを更に有する安全コネクターを提供する。
【００１１】
また、本考案の別の目的は、簡単に組み立てられる安全コネクターを提供する。
【００１２】
収容溝を有する第二環状壁部と、フランジを有する第三環状壁とを備えて、そしてフランジと収容溝を互いに噛み合わせる安全コネクターを提供する。
【００１３】
また、本考案の別の目的は、耐久性である安全コネクターを提供する。
【００１４】
弾性体の本体には、第二環状壁部への方向に向けて突出する第三弾性リングを更に有する安全コネクターを提供する。
【００１５】
上述した構造により、弾性体は封止部によって、カバーとベースの間の隙間を密封して、互いに連携する押圧部と第二ネック部は内部から強い背圧に対する抵抗性を増加させて、優れた液体の漏れを防ぐ効果を得ることができる。
【００１６】
本考案による安全コネクターの詳細な特徴は、以下の詳細な説明を通して明確にする。また、以下の詳細な説明および本考案により提示された実施形態は本考案を説明するための一例に過ぎず、本考案の請求範囲を限定できないことは、本考案にかかわる領域において常識がある人ならば理解できるはずである。
【図面の簡単な説明】
【００１７】
【図１】本考案の一実施形態による安全コネクターを示す斜視図である。
【図２】本考案の一実施形態による安全コネクターを示す分解斜視図である。
【図３】本考案の一実施形態による安全コネクターを示す断面分解図である。
【図４】本考案の一実施形態による安全コネクターを示す断面図である。
【図５】本考案の一実施形態による安全コネクターとシリンジ接続して輸液する状態を示す断面図である。
【図６】本考案の別の実施形態による安全コネクターはシリンジと分離すると、液体の逆流する状態を示す断面図である。
【考案を実施するための形態】
【００１８】
（一実施形態）
図１から図３に示すように、本考案の一実施形態による安全コネクター１０は、カバー２０、ベース３０、弾性体４０を含める。
【００１９】
カバー２０は、第一ネック部２１、第一環状壁部２２及び第二環状壁部２３を備える。第一ネック部２１の一端が第一環状壁部２２と接続され、別の一端が第二環状壁部２３と接続される。第一ネック部２１と第一環状壁部２２と第二環状壁部２３に囲まれて第一トンネル２４を構成する。図３に示すように、第一ネック部２１の内壁面には押圧部２１１が設けられて、押圧部２１１の内径D１は第一環状壁部２２から第二環状壁部２３への方向に増やして、斜面になる。第二環状壁部２３は端部２３１を有する。
【００２０】
ベース３０は、片側に貫通孔３１２がある表面３１１を有し且つ貫通孔３１２と接続するパイプ３１５を有する輸液管３１３と第四環状壁部３１４が含まれる連接部３１と、表面３１１の一方の側から延びてなる第三環状壁部３２とを備える。輸液管３１３ではほかの輸液パイプとを接続する（例えば留置針）。第四環状壁部３１４は輸液管３１３の外囲を囲い、その内壁面には複数のねじ溝を持って、外部ノズルに締め付けられる。
【００２１】
前記弾性体４０は、頭部４１、第二ネック部４２、本体４３及び開口部４４を有する。頭部４１は第二ネック部４２の一方の側から延びさせて閉じた端部４１１に形成される。本体４３は第二ネック部４２の別の一方の側から延びさせて開いた端部４３１になって、更に、開いた端部４３１から外向きに延びるように封止部４５を形成される。第二ネック部４２の外径D３は頭部４１から本体４３への方向に徐々に増加し、別の斜面になることによって、第二ネック部４２の外壁面４２１は押圧部２１１を互いに対応される。第二ネック部４２は本体４３の中と共に第二トンネル４６が含まれる。開口部４４は第一周壁４７に囲まれて形成する。第一周壁４７は第二ネック部４２から本体４３への方向に二つ円弧凹面４７１で構成する。もっと詳しい言うと、図３に示すように、弾性体４０の側から見ると、開口部４４は本体４３に設けられて切り込まれた凹状中空である。
【００２２】
図１、図３及び図４に示すように、安全コネクター１０を組み合わせる際、まず弾性体４０は開いた端部４３１からベース３０の第三環状壁部３２の中に配置されて、カバー２０は第二環状壁部２３の端部２３１の方向へ弾性体４０の外側を覆う。それで、第二環状壁部２３は第三環状壁部３２の内部に配置し、封止部４５は表面３１１と第二環状壁部２３の端部２３１の間に配置し、弾性体４０の本体４３は第二環状壁部２３の内部に配置し、第二ネック部４２は押圧部２１１に密接に取り付けて、頭部４１は第一環状壁部２２の内部に配置し、第一トンネル２４を密封する。第一トンネル２４は開口部４４によって第二トンネル４６とを連通し、且つ貫通孔３１２によってパイプ３１５とを接続する。
【００２３】
図５及び図６に示すように、ユーザーは安全コネクター１０に系して輸液する場合、シリンジノズル９０が第一環状壁部２２に挿入することにより、弾性体４０の頭部４１は第二環状壁部２３に押し込まれる。弾性体４０の本体４３の片側には開口部４４があるから、下向きの圧力を受けたとき、開口部４４に向かって傾斜する。この時、弾性体４０の頭部４１も開口部４４に向かって傾斜することにより、シリンジノズル９０の空間９１と第一トンネル２４の空間と連通し、さらに第二トンネル４６とパイプ３１５とを接続する。この場合、ユーザーは需要に応じて液体の注入または吸引をすることができる。
【００２４】
ちなみに、表面３１１と第二環状壁部２３の端部２３１の間の隙間を封止部４５で密封することにより、液体の漏れを防ぐ。それで、本考案の安全コネクターはより優れた漏れの防止効果ができて、強い液圧または逆流にもっと耐え得るし、より速い流量の場合でもうまく動作させることができる。
【００２５】
輸液が終わる場合、単に第一環状壁部２２からシリンジノズル９０を取り外して、弾性体４０の頭部４１は自身の弾性による第一環状壁部２２に戻る。液体がパイプ３１５から逆流すると、第二ネック部４２と第一ネック部２１を密接に取り付けるように、圧力は弾性体４０に頭部４１への方向に印加される。そして、第二ネック部４２の外壁面４２１と第一ネック部２１の内壁面を互いに対応付けた斜面を介して、弾性体４０の圧力抵抗能力を増加させる機能ができ、効果的にパイプ３１５から逆流した液体を抵抗し、液体の漏れを防ぐ。
【００２６】
漏れ防止効果を高めるために、封止部４５は頭部４１への方向に向けて突出する第一弾性リング４５１を更に有し、第一弾性リング４５１でより効果的に第二環状壁部２３の端部２３１と封止部４５の間の隙間を密封される。
【００２７】
漏れ防止効果が高まるため、封止部４５は頭部４１から離れる方向に突出する第二弾性リング４５２を更に有し、第二弾性リング４５２でより効果的に表面３１１と封止部４５の間の隙間を密封される。第二弾性リング４５２を有する安全コネクター１０は、もう漏れ防止効果があるし、それ以上もっと第二弾性リング４５２があると、より良い効果になる。
【００２８】
簡単に組み立てられるため、第二環状壁部２３は収容溝２３２を有し、第三環状壁３２はフランジ３２２を備えて、そしてフランジ３２２と収容溝２３２を互いに噛み合わせると、カバー２０とベース３０の組み立てを出来上がる。
【００２９】
弾性体４０をより耐久性にするために、本体４３の外周面には複数の第三弾性リング４５３を有し、第三弾性リング４５３は第二環状壁部２３への方向に向けて突出する。第三弾性リング４５３は本体４３の壁厚さD２を増加させるだけではなく、外周面の長さも増加させる。それで、本体４３はより曲げられて、回復される。
【００３０】
上記の図示および記載された詳細な説明は、本考案の技術内容および特徴を説明した一実施形態を提供するものであり、本考案にかかわる領域において常識がある人ならば、本考案の範囲及び趣旨を逸脱することなく、種々の変形例、修正及び変更を加えることが下記に示す請求の範囲に属することが理解できるはずである。
【符号の説明】
【００３１】
１０：安全コネクター
２０：カバー            ２１：第一ネック部
２１１：押圧部        ２２：第一環状壁部
２３：第二環状壁部        ２３１：端部
２３２：収容溝        ２４：第一トンネル
３０：ベース                ３１：連接部
３１１：表面            ３１２：貫通孔
３１３：輸液管        ３１４：第四環状壁部
３１５：パイプ        ３２：第三環状壁部
３２２：フランジ        
４０：弾性体            ４１：頭部
４１１：閉じた端部        ４２：第二ネック部
４２１：外壁面        ４３：本体
４３１：開いた端部        ４４：開口部
４５：封止部            ４５１：第一弾性リング
４５２：第二弾性リング    ４５３：第三弾性リング
４６：第二トンネル        ４７：第一周壁
４７１：円弧凹面
９０：シリンジノズル        ９１：空間
D１：内径                    D２：壁厚さ
D３：外径
【図１】
0003207099.tif 000003
【図２】
0003207099.tif 000004
【図３】
0003207099.tif 000005
【図４】
0003207099.tif 000006
【図５】
0003207099.tif 000007
【図６】
0003207099.tif 000008